(57)【要約】【課題】  コンパクトであり、且つウエスト開口部の上端縁がズレ落ちにくく、外観的にも機能的にも優れているパンツ型使い捨ておむつを提供すること。【解決手段】  一対のサイドシール部、ウエスト開口部及び一対のレッグ開口部が形成されているパンツ型の使い捨ておむつ１であり、腹側部Ａに、帯状の伸縮領域５３が、その両端部５３Ｓがサイドシール部の上端部に位置すると共にその中央部５３Ｃが股下部に近づくように、湾曲させて形成されており、展開状態のおむつにおいて、長手方向中心線ＣＬと、前記両端部における前記伸縮領域の中央位置Ｔ１との間の距離Ｌａが１８０〜２２０ｍｍである。【選択図】    図２
2006043068.tif 000002
【特許請求の範囲】
【請求項１】
一対のサイドシール部、ウエスト開口部及び一対のレッグ開口部が形成されているパンツ型の使い捨ておむつであって、
腹側部に、帯状の伸縮領域が、その両端部がサイドシール部の上端部に位置すると共にその中央部が股下部に近づくように、湾曲させて形成されており、
展開状態のおむつにおいて、長手方向中心線と、前記両端部における前記伸縮領域の中央位置との間の距離が１８０〜２２０ｍｍである、パンツ型使い捨ておむつ。
【請求項２】
腹側部の上端縁が、前記伸縮領域の湾曲形状に沿った形状を有している請求項１記載のパンツ型使い捨ておむつ。
【請求項３】
前記伸縮領域は、おむつ着用時の圧力が１．１〜２．５ｋＰａとなされている請求項１又は２記載のパンツ型使い捨ておむつ。
【請求項４】
前記伸縮領域と前記サイドシール部の下端との間に、展開状態におけるおむつ幅方向と平行に弾性部材が配された第２伸縮領域を有しており、第２伸縮領域は、おむつ着用時の圧力が、前記伸縮領域よりも低い請求項１〜３の何れか記載のパンツ型使い捨ておむつ。
【請求項５】
第２伸縮領域は、おむつ着用時の圧力が０．２〜０．８ｋＰａとなされている請求項４記載のパンツ型使い捨ておむつ。
【請求項６】
レッグ開口部の周縁部にレッグ部弾性部材が配されてレッグギャザーが形成されており、
展開状態のおむつにおいて、前記両端部における前記伸縮領域の中央位置と、前記レッグ部弾性部材における、最もおむつ幅方向中央寄りに位置する部分のおむつ長手方向の位置との間の距離が５５〜１００ｍｍである請求項１〜５の何れか記載のパンツ型使い捨ておむつ。
【発明の詳細な説明】
【技術分野】
【０００１】
本発明は、パンツ型使い捨ておむつ、特に幼児用のパンツ型使い捨ておむつに関する。
【背景技術】
【０００２】
パンツ型使い捨ておむつにおいて、ウエスト開口部とレッグ開口部との間に、おむつの幅方向に延びる弾性部材を配したものが知られている。例えばおむつの少なくとも腹側が、コアの前端縁を境とする上下各最大２０ｍｍの範囲で画成される第１胴周り域と、該第１胴周り域とレッグ開口部との間に画成される第２胴周り域とを有し、第１胴周り域における弾性部材の各々の配列間隔寸法を、第２胴周り域における弾性部材の各々の配列間隔寸法よりも小さくしたパンツ型使い捨ておむつが提案されている（特許文献１参照）。このおむつは、第１胴周り域及び第２胴周り域における一定面積の当たりの面圧を実質的に等しくしつつ、肌に対する密着性に関し、第１胴周り域を第２胴周り域よりも良好にすることで、おむつの着用感を損なうことなく漏れを防止しようとするものである。
【０００３】
また弾性部材の配設間隔を、レッグ開口部に向かうに連れて漸次狭くなるようにすることで、着用者の胴部腰骨の上部に強い収縮力が働くようにしたパンツ型使い捨ておむつも知られている（特許文献２参照）。
【０００４】
また、おむつの幅方向に延びる弾性部材が配されたウエスト開口部の伸縮部とレッグ開口部との間に、弾性部材を揺動させて配したパンツ型使い捨ておむつが知られている（特許文献３）。
【０００５】
【特許文献１】特開平９−８４８２６号公報
【特許文献２】実開平６−４２１号公報
【特許文献３】特開平７−２９９０９４号公報
【発明の開示】
【発明が解決しようとする課題】
【０００６】
しかしこれらのおむつでは、着用中におむつがずれ落ちて外観が低下し、またずれ落ちに起因して着用者が動きにくくなるおそれがある。また、ウエスト開口部に強い締め付け圧が加わるので、おむつを着用させにくくなるおそれがある。
【０００７】
従って、本発明の目的は、おむつのズレ落ち、特にウエスト開口部の上端縁のズレ落ちが生じにくく、外観的にも機能的にも優れたパンツ型使い捨ておむつを提供することにある。
【課題を解決するための手段】
【０００８】
本発明は、一対のサイドシール部、ウエスト開口部及び一対のレッグ開口部が形成されているパンツ型の使い捨ておむつにおいて、腹側部に、帯状の伸縮領域が、その両端部がサイドシール部の上端部に位置すると共にその中央部が股下部に近づくように、湾曲させて形成されており、展開状態のおむつであって、長手方向中心線と、前記両端部における前記伸縮領域の中心位置との間の距離が１８０〜２２０ｍｍである、パンツ型使い捨ておむつを提供することにより前記目的を達成したものである。
【発明の効果】
【０００９】
本発明のパンツ型使い捨ておむつは、コンパクトであり、且つウエスト開口部の上端縁がズレ落ちにくく、外観的にも機能的にも優れている。
【発明を実施するための最良の形態】
【００１０】
以下本発明を、その好ましい実施形態に基づき図面を参照しながら説明する。
図１には、本発明のパンツ型使い捨ておむつの一実施形態の斜視図が示されている。図２には、図１に示すおむつの展開状態を示す平面図が示されている。図２（ａ）には、外包体に吸収性本体が固定された状態、図２（ｂ）には、吸収性本体を取り除いた状態が示されている。
【００１１】
本実施形態のおむつ１は、液透過性の表面シート２、液撥水性の裏面シート３及び両シート２、３間に介在配置された液保持性の吸収性コア４を有する実質的に縦長の吸収性本体１０と、該吸収性本体１０の裏面シート３側に配された外包材１１とを備えている。
【００１２】
外包材１１は、その両側縁が、長手方向中央部において内方に括れた砂時計形の形状をしており、おむつの輪郭を画成している。外包材１１はその長手方向において、着用者の腹側に配される腹側部Ａと背側に配される背側部Ｂとその間に位置する股下部Ｃとに区分される。腹側部Ａ及び背側部Ｂは、外包材１１の長手方向前後端部に相当し、股下部Ｃは外包材１１の長手方向中央部に相当する。外包材１１は、その腹側部Ａの両側縁Ａ１，Ａ２と背側部Ｂの両側縁Ｂ１，Ｂ２とが互いに接合されて、おむつ１にはウエスト開口部５及び一対のレッグ開口部６が形成されている。この接合によって、おむつ１の左右両側縁には一対のサイドシール部Ｓが形成されている。この接合には例えばヒートシール、高周波シール、超音波シール等が用いられる。
【００１３】
表面シート２及び裏面シート３はそれぞれ矩形状であり、吸収性コア４は、長手方向中央部において内方に括れた砂時計形の形状であり、これらは一体化されて縦長の吸収性本体１０を形成している。表面シート２及び裏面シート３としては、従来この種のおむつに用いられているものと同様のものを用いることができる。また吸収性コア４は、高吸収性ポリマーの粒子及び繊維材料から構成されており、ティッシュペーパ（図示せず）によって被覆されている。
【００１４】
図２に示すように、吸収性本体１０の長手方向の左右両側には、液抵抗性ないし液撥水性で且つ通気性の素材から構成された側方カフス８、８が形成されている。各側方カフス８は、吸収性本体１０の長手方向に沿って固定端部及び自由端部を有している。固定端部は、表面シート２に固定されている。更に、固定端部及び自由端部は、吸収性本体１０の長手方向両端部（図２における上下方向の端部）において表面シート２に固定されている。一方、自由端部の近傍には、側方カフス弾性部材８１が伸張状態で配されている。着用時には、弾性部材８１が縮むことにより側方カフス８が起立して、吸収性本体１０の幅方向への液の流出が阻止される。
【００１５】
外包材１１は、少なくとも二枚の不織布、即ち外層不織布１２と該外層不織布１２の内面側に配された内層不織布１３とを有している。外層不織布１２はおむつ１の外面をなし、内層不織布１３は外層不織布１２の内面側に、ホットメルト粘着剤等の接着剤によって接合されている。
【００１６】
腹側部Ａには、図２に示すように、複数本のウエスト部弾性部材５１Ａが伸長状態で湾曲させて配されており、これにより、腹側部Ａにおけるウエスト開口部５の開口周端縁５Ａの近傍に、帯状のウエスト伸縮領域５３が形成されている。
【００１７】
ウエスト伸縮領域５３は、その長手方向両端部５３Ｓ，５３Ｓがサイドシール部Ｓの上端部に位置すると共にその中央部５３Ｃが股下部Ｃに近づくように、湾曲している。即ち、ウエスト伸縮領域５３は、その中央部５３Ｃが股下部Ｃの方向に向かって凸となるように湾曲しており、より具体的には、中央部５３Ｃ付近の股下部方向に向かって凸の円弧状部分の両側に、その円弧状部分とは凸の向きが逆の円弧状部分が連続しているような形状（サインカーブ状）に湾曲している。ウエスト伸縮領域５３を形成する各ウエスト部弾性部材５１Ａも、同様の形状に湾曲している。
サイドシール部Ｓの上端部とは、サイドシール部Ｓの上端Ｕから３０ｍｍ迄の範囲内である。ウエスト伸縮領域５は、その両端部において、その幅の半分以上がこの範囲内に入っていることが好ましく、その幅の全体ないしほぼ全体がこの範囲内に入っていることがより好ましい。
【００１８】
外包材１１の背側部Ｂ側の端部にも、複数本のウエスト部弾性部材５１Ｂが伸長状態で配されている。これにより、背側部Ｂにおけるウエスト開口部５の開口周端縁５Ｂの近傍に、おむつ幅方向と平行に延びる帯状のウエスト伸縮領域５４が形成されている。腹側部Ａのウエスト伸縮領域５３と背側部Ｂのウエスト伸縮領域５４とは、腹側部Ａの両側縁Ａ１，Ａ２と背側部Ｂの両側縁Ｂ１，Ｂ２とを互いに接合（接合部分）させたときに、両領域の端部同士が重なるか、両領域の端部同士が近接して実質的に連続する伸縮部を形成するようになされている。これによって、図１に示すように、おむつ１のウエスト開口部５の付近には実質的に連続したリング状のウエストギャザーが形成される。
尚、図２においては、他の弾性部材との区別の便宜上、ウエスト部弾性部材５１Ａ及び５１Ｂを実線で示してあるが、これらは、何れも外包体１１を構成する外層不織布１２と内層不織布１３との間に伸張状態で挟持固定されている。
【００１９】
おむつ１を展開した状態において、両端部５３Ｓにおけるウエスト伸縮領域５３の中央位置Ｔ１と、長手方向中心線（おむつ幅方向に延び、おむつ長手方向全長Ｌ１を２等分する線）ＣＬとの間の距離Ｌａ〔図２（ａ）参照〕、及び、背側部Ｂにおける該中央位置Ｔ１に対応する位置Ｔ２と、長手方向中心線ＣＬとの間の距離Ｌｂ〔図２（ａ）参照〕はそれぞれ１８０〜２２０ｍｍとなっている。これらの値は従来技術と比較すると小さい値となっている。
両端部５３Ｓにおけるウエスト伸縮領域５３の幅Ｗ１〔図２（ｂ）参照〕が、３０ｍｍを超える場合には、該ウエスト伸縮領域５３の開口周端縁５Ａ側の端からおむつ長手方向に３０ｍｍまでの範囲をウエスト伸縮領域５３として、その中央位置を定める。
【００２０】
前記距離Ｌａ〔図２（ａ）参照〕が１８０〜２２０ｍｍであると、パンツ型おむつの主たる着用対象者である幼児に着用させた際に、ウエスト伸縮領域５３を、おむつのズレ落ちを顕著に低減できる部位に当接させることができ、且つおむつ腹側部における、長さ方向上端縁が、前記伸縮領域の湾曲形状に沿った形状になっているため、おむつ着用時の外観はとてもコンパクトで良好なものになる。また、前記距離ＬａとＬｂとは同じ長さであることが好ましい。
【００２１】
おむつのズレ落ちを顕著に低減できる部位とは、着用者の腸骨稜から上前腸骨棘にかけての部位（以下、腸骨領域ともいう）である。腸骨稜及び上前腸骨棘は解剖学の用語である。腸骨稜とは、図３において９ａで示される部位であり、上前腸骨棘とは同図において９ｂで示される部位である。
おむつのズレ落ちを生じにくくする観点から、ウエスト伸縮領域５３は、その少なくとも一部が、上前腸骨棘と重なるように配されることが好ましい。
上述した１８０〜２２０ｍｍという数値は、パンツおむつの主たる着用対象者である幼児約３５０人の身体計測を実施し、上前腸骨棘の水平位置高さにある腹側部左右中心点を上前腸骨棘高前中心とし、背側部を上前腸骨棘高後中心とすると、上前腸骨棘高前中心から股下を経由し上前腸骨棘高後中心までの長さを上前腸骨棘高前後長とし、この上前腸骨棘高前後長におむつの材料による厚み等を考慮した必要長を加えて得られた数値を２分したものである。
【００２２】
本実施形態のおむつ１は、ウエスト伸縮領域５３が、おむつのズレ落ちを顕著に低減できる部位に高い確率で当接できるようになされており、しかもウエスト伸縮領域５３が上述の通り湾曲させて形成されているため、おむつのズレ落ち、特にウエスト開口部の上端縁のズレ落ちが生じにくい。
即ち、従来、パンツ型おむつの着用中のずれ落ちを防止するためには、特に幼児用のパンツ型使い捨ておむつの着用中のずれ落ちを防止するためには、ウエスト開口部に配設する弾性部材の締め付け圧を高くして、該ウエスト開口部によってパンツ型おむつを着用者の身体に密着させることが有効であると考えられてきた（例えば、先に述べた特許文献２参照）。しかし本発明者らの検討の結果、パンツ型おむつの着用中のずれ落ちを効果的に防止するには、着用者の腸骨領域に対応するおむつの部位の締め付けが特に重要であり効果的であることが見出された。この理由は、着用者、特に幼児は、その身体的な特徴として腹部が前方に張り出しているので、当該張り出している部分の締め付け圧を高くすると、その締め付け圧が高い故にウエスト開口部が次第に絞り込まれて、腹まわりが細くなる部位（腸骨領域）にまで該ウエスト開口部がずれ下がってくるが、当該張り出している腹部ではなく、お腹の曲率の変動がほぼなくなる、着用者の腸骨領域に対応する部位を締め付けることにより、そのようなずり下がりを防止できるからである。
【００２３】
本発明においては、腹側部において帯状の伸縮領域が、その両端部がサイドシール部の上端部に存在し（ずれ落ちに必要な伸縮領域より上の部分におむつ本体をなす材は存在せず）、且つ、その長手方向の位置は従来のウエストギャザーよりもかなり下に位置する。よって、装着前/装着中のおむつの外観はコンパクトなもの（全長が短いものになるので）になり、且つ、必要な部分を適宜締めつけているので、ずれ落ち性も良好なものとなる。
本発明において、おむつの展開状態における全長は３９０〜４８０ｍｍであることが好ましく、従来のものより、より小さいのもになっていることが理解できる。装着前/装着中のおむつのコンパクト性を考慮すると、前記全長は３８０〜４７０ｍｍであることがより好ましく、３８０〜４６５ｍｍであることが更に好ましい。
【００２４】
本実施形態のおむつ１によれば、着用者の腸骨領域に対応する部位に、ウエスト伸縮領域５３を高い確率で当接できる上に、湾曲させたウエスト伸縮領域５３が、前方に張り出した腹部の上ではなく、お腹の曲率の変動がほぼなくなる部位を締め付けることになるため、ズレ落ち力の発生が一層抑制されて一層ズレ落ちにくくなる。
【００２５】
着用者の腸骨領域に対応する部位に、ウエスト伸縮領域５３をより確実に当接させる観点から、前記距離Ｌａ、Ｌｂは、１８５〜２１５ｍｍであることが好ましく、１８５〜２１０ｍｍであることがより好ましい。
また、ウエスト伸縮領域５３は、両端部５３Ｓ、５３Ｓにおける中央位置Ｔ１と、中央部５３Ｃにおける中央位置Ｔ３との間の距離Ｌ２〔図２（ｂ）参照〕が、６０〜９５ｍｍであることが好ましく、６０〜９０ｍｍであることがより好ましい。中央部５３Ｃにおける中央位置Ｔ３は、最も股下部Ｃ側に位置する部分における中央位置とする。
【００２６】
本実施形態のおむつ１においては、腹側部Ａの上端縁５Ａ、即ち、腹側部Ａにおけるウエスト開口部の開口周端縁５Ａが、ウエスト伸縮領域５３の湾曲形状に沿った形状を有している。換言すれば、腹側部Ａの上端縁５Ａは、ウエスト伸縮領域５３とほぼ平行をなしており、該ウエスト伸縮領域５３よりも上方には、外包体１０が殆ど延出していない。腹側部Ａの上端縁５Ａをおむつ幅方向と平行な直線状に形成して、ウエスト伸縮領域５３上に外包体１０が延出した部分を形成することもできるが、当該部分には、ズレ落ち力を発生させない観点から横方向の弾性部材を配さない方が好ましいので、当該部分にめくれが生じることがある。そのため、本実施形態のおむつ１においては、ウエスト伸縮領域５３より上方に外包体１０を殆ど延出させない構成としてある。外包体１０が、腹側部Ａの上端縁５Ａの最も近くに配されたウエスト部弾性部材５１Ａから上方に延出する幅は、最も大きく延出する部分においても２ｃｍ以下、特に１ｃｍ以下であることが好ましい。
【００２７】
ウエスト伸縮領域５３は、おむつ着用時の圧力が１．１〜２．５ｋＰａとなされていることが好ましい。着用時の圧力を１．１ｋＰａ以上とすることで、ウエスト伸縮領域５３による着用者の腸骨領域の締め付けが確実になり、おむつ１のずれ落ちによる外観の悪化や、股下部Ｃのだぶつきによる排泄物の漏れ等を効果的に防止することができる。一方、着用時の圧力が２．５ｋＰａ以下とすることで、着用者の身体を過度に締め付けてしまうことによる装着感や快適性の低下、おむつ１の装着操作が困難になること等を防止することができる。おむつ１のずれ落ちを一層効果的に防止し、また着用状態でのおむつ１の外観やおむつ１の装着操作を一層向上させる観点から、ウエスト伸縮領域５３は、おむつ１の着用時の圧力が１．１〜２．０ｋＰａとなされていることが好ましく、１．２〜１．８ｋＰａとなされていることが更に好ましい。
【００２８】
おむつ１の着用時の圧力は、例えばウエスト伸縮領域５３及び背側部Ｂ側のウエスト伸縮領域５４それぞれに配する弾性部材の素材、太さや伸長率、或いは配設間隔を調整することでコントロールすることができる。
【００２９】
ウエスト伸縮領域５３の着用時の圧力は、周長が５００ｍｍの円筒におむつ１を装着し、装着圧測定装置（（株）エイエムアイ・テクノ製の接触圧測定器（ＡＭＩ３０３７−２））によって測定される。
φ＝１５ｍｍのエアパックを用い、ウエスト先端部よりおむつ長手方向に１５ｍｍの位置に前記エアパックの中心が位置するようにセットし、装着圧（Ｐ１）を測定する。その際、おむつ幅方向の位置は、図２（ａ）に符号Ｐで図示する通り、おむつの左右両側縁と前記吸収体の左右両側縁とのほぼ中心とする。測定は、腹側部において、左右各２点ずつ計４点測定を行い、平均値より腹側部の装着圧とする。同様に背側部においても、計４点測定を行い、平均値より背側部の装着圧とする。そして、腹側部の装着圧と背側部の装着圧との平均値を、ウエスト伸縮領域５３の着用時の圧力とする。
円筒の周長を５００ｍｍとした理由は、本実施形態のおむつ１を着用する主たる対象者である幼児の腹まわりの長さの平均がおおよそ５００ｍｍであることによる。尚、ここで言うお腹まわりの長さは、姿勢変化時のお腹まわりの周長の変化を考慮し、立位および座位で測定したお腹まわりの平均である。
【００３０】
着用者の腸骨稜から上前腸骨棘にかけての部位には一定の幅があり、当該幅の範囲内でおむつ１のウエスト伸縮領域５３を当該部位に固定することで、おむつ１のずれ落ちを効果的に防止することができる。この観点から、本実施形態のおむつ１においては、両端部５３Ｓ，５３Ｓにおけるウエスト伸縮領域５３の幅Ｗ１（つまり、おむつ１の長手方向に沿う長さ）を１５〜３５ｍｍとしている。この幅Ｗ１が２０〜３５ｍｍ、特に２５〜３０ｍｍであると、おむつ１のずれ落ちを一層効果的に防止することができ、また着用状態でのおむつ１の外観やおむつ１の装着操作（はかせやすさ等）を一層向上させることができる。
【００３１】
本実施形態のおむつ１においては、腹側部Ａにおける、ウエスト部伸縮領域５３とサイドシール部の下端Ｄとの間に、展開状態におけるおむつ幅方向と平行に弾性部材７１が配された第２伸縮領域７２を有しており、背側部Ｂにおける、ウエスト部伸縮領域５４とサイドシール部の下端Ｄとの間にも、同様の伸縮領域を有している。
第２伸縮領域７２は、使用中におけるおむつのずれ落ちを抑制するための主たる手段ではなく、よって第２伸縮領域７２は、おむつ着用時の圧力が、ウエスト部伸縮領域５３よりも低いことが、おむつを着用せしめる際の操作性（はかせやすさ）の観点から好ましい。第２伸縮領域７２は、ウエスト伸縮領域５３の着用時の圧力と同様にして測定した着用時の圧力（第２伸縮領域７２の幅Ｗ２の中央位置において測定）が０．３〜０．８ｋＰａであることが好ましく、特に好ましくは０．３〜０．６ｋＰａである。これによって、おむつ１を着用者の身体に適度な圧力で密着させることができ、液漏れを効果的に防止することができる。第２伸縮領域７２は、おむつ１を着用した場合に、着用者の腸骨領域の下側の領域（下腹部）に当接する。第２伸縮領域７２の幅（つまり、おむつ１の長手方向に沿う第２領域７２の長さ）Ｗ２は４０〜７０ｍｍ、特に４５〜６５ｍｍであることが好ましい。第２伸縮領域７２及び背側部Ｂ側の同様の伸縮領域に配された弾性部材７１は、外層不織布１２と内層不織布１３との間に伸張状態で固定されている。
【００３２】
外包材１１における左右両側の湾曲部には、レッグ部弾性部材６１ａ、６１ｂが配されている。各レッグ部弾性部材６１ａ、６１ｂは、前記湾曲部に沿って配されている。各レッグ部弾性部材６１ａ、６１ｂは、外層不織布１２と内層不織布１３との間に配されており、所定の接合手段によって、両不織布１２、１３に伸張状態で固定されている。各レッグ部弾性部材６１ａ、６１ｂは、その一端どうしが股下部Ｃにおいて重なり合っている。一方、他端は腹側部Ａ及び背側部Ｂの各側縁の位置において終端している。各レッグ部弾性部材６１ａ、６１ｂは、おむつ１の腹側部Ａの両側縁Ａ１，Ａ２と背側部Ｂの両側縁Ｂ１，Ｂ２とを互いに接合させたときに、両弾性部材６１ａ、６１ｂの端部同士が重なるように配されているか、両接合部分まで両弾性部材６１ａ、６１ｂの端部を連続配置されている。これによって、図１に示すように、おむつ１のレッグ開口部６、６の付近には実質的に連続したリング状のレッグギャザーが形成されている。
【００３３】
おむつ１は、実質的にレッグ開口部に沿って弾性部材が伸長状態で配されているのが好ましい。おむつ１は、着用時のレッグ開口部６の圧力が、１．０〜２．４ｋＰａ、特に１．２〜２．２ｋＰａとなされていることが好ましい。おむつ着用時のレッグ開口部６の圧力が前記範囲内であることによって、レッグ開口部６の開口端が着用者の鼠蹊部に適正にフィットし、着用者の脚周りからの液漏れを効果的に防止することができる。また、使用時において排尿/排便によりおむつの股下における重量が増加した際においても、股下において吸収体が着用者の肌から離間することを防止し、使用中のおむつの外観および尿/便のもれを防ぐといった観点から、おむつを良好な状態に保つことができる等の効果を得ることができる。
【００３４】
＜レッグ開口部の装着圧測定法＞
レッグ開口部の装着圧は、ウエスト伸縮領域の着用時圧力に用いたものと同じ装置及びエアパックを用いて測定することができる。
おむつ１のレッグ開口部６に周長３００ｍｍの円筒を挿入（装着）し、弾性部材６１ａ、６１ｂが配置された部位にて円周方向に５０ｍｍ間隔で６点測定を行う。弾性部材６１ａ、６１ｂが複数本存在する場合は、該弾性部材が配置されている領域の幅中心点にて測定を行う。右足および左足計１２点の平均値をレッグ開口部６の装着圧とする。
レッグ部弾性部材６１ａ、６１ｂが完全に、あるいは部分的にないものに関しては相当部位における側方カフス弾性部材８１が配置されている領域の装着圧をもってレッグ開口部の装着圧とする。円筒の周長を３００ｍｍとした理由は、本実施形態のおむつ１を着用する主たる対象者である幼児の鼠蹊部（足まわり）の長さの平均がおおよそ３００ｍｍであることによる。
【００３５】
本実施形態のおむつ１は、その展開状態において、両端部５３、５３におけるウエスト部伸縮領域５３の中央位置Ｔ１と、レッグギャザー形成用のレッグ部弾性部材６１ａ、６１ｂにおける、最もおむつ幅方向中央寄りに位置する部分のおむつ長手方向の位置Ｔ３との間の距離Ｌ３〔図２（ｂ）参照〕〕が５５〜１００ｍｍである。前記距離Ｌ３を上記範囲内とすることにより、レッグギャザーを着用者の鼠径部にフィットさせることができ、着用時における、レッグギャザーの位置の上下方向への変位を低減することができる。これにより、股下部Ｃに、おむつのだぶつきが発生することを有効に防止できると共に、着用中におけるレッグギャザーの位置が安定することで、ウエスト開口部の周縁端のズレ落ちを一層防止することができる。着用時に変位しにくいレッグギャザーとする観点から、前記距離Ｌ３は、６０〜９５ｍｍであることが好ましく、６０〜９０ｍｍであることがより好ましい。
また、同様の観点から、展開状態のおむつにおける、サイドシール部の下端間の距離Ｌ４〔図２（ｂ）参照〕は、２１０〜２８０ｍｍであることが好ましく、より好ましくは２３０〜２７０ｍｍである。
【００３６】
上述した各部の弾性部材５１Ａ、５１Ｂ、６１ａ，６１ｂ，７１としては、それぞれ、天然ゴム、ポリウレタン系樹脂、発泡ウレタン系樹脂、伸縮性不織布又はホットメルト系伸縮部材等の伸縮性素材を糸状（糸ゴム）、帯状（平ゴム）、ネット状（網状）又はフィルム状に形成したものが好ましく用いられる。
【００３７】
本発明は、上述した実施形態に制限されず、適宜変更可能である。
例えば、サイドシール部は、腹側部Ａの両側縁部と背側部Ｂの両側縁部とが、脱着自在な締結手段により脱着自在に接合されて形成されているものであっても良い。脱着自在な締結手段としては、機械的面ファスナーのオス部材とメス部材、ボタンとボタン孔等を挙げることができる。但し、従来のテープ止めおむつのように、パンツ型の形態とした状態で装着しない（できない）ものは、パンツ型おむつではない。
【実施例】
【００３８】
〔実施例１〕
図１及び図２に示す形態のパンツ型おむつを作製した。当該パンツ型おむつに用いた材料は以下の通りである。吸収性本体１０における表面シート２は、坪量２５ｇ／ｍ2の親水性エアースルー不織布から構成されている。裏面シート３は坪量２０ｇ／ｍ2のポリエチレンシートから構成され、外包材１１における外層不織布１１は、坪量２５ｇ／ｍ2の撥水性エアースルー不織布から構成され、内層不織布は、坪量１８ｇ／ｍ2の撥水性スパンボンド不織布から構成されている。
【００３９】
〔実施例２〕
実施例１で用いた外包材に代えて、図４（ａ）に示す外包材を用いた以外は実施例１と同様にしてパンツ型おむつを作製した。
【００４０】
〔比較例１〕
実施例１で用いた外包材に代えて、図４（ｂ）に示す外包材を用いた以外は実施例１と同様にしてパンツ型おむつを作製した。
【００４１】
〔比較例２〕
実施例１で用いた外包材よりもサイドシール部の長さを長くすると共に、ウエスト部伸縮領域５３及び第２伸縮領域７２の位置をそれぞれウエスト開口縁部方向にずらした外包材を用いる以外は、実施例１と同様にしてパンツ型おむつを作製した。
【００４２】
〔参考例〕
ウエスト部伸縮領域５３のおむつ着用時の圧力が異なるように構成した外包材を用いる以外は、実施例１と同様にしてパンツ型おむつを作製した。
【００４３】
尚、上述した各おむつにおいて、弾性部材によって生じる圧力は、弾性素材の種類、および伸長率を変えることで調整した。
【００４４】
作製した各おむつの構成を表１に纏めた。表１中に示す各項目の内容は以下の通りである。
Ａ：腹側部におけるウエスト部伸縮領域５３が中央部にて湾曲しているか否か。湾曲している＝○。湾曲していない＝×
Ｂ：ウエスト部伸縮領域５３の両端部において、該両端部がサイドシール部の上端部に存在するか否か。上端部に存在している＝○。上端部に存在していない＝×。
Ｃ：腹側部の上端縁が、ウエスト部伸縮領域５３の形状に沿って湾曲しているか否か。ウエスト部伸縮領域５３の形状に沿って湾曲している＝○。ウエスト部伸縮領域５３の形状に沿って湾曲していない＝×。
Ｄ：おむつ長手方向中心線ＣＬと、ウエスト部伸縮領域５３の両端部における該伸縮領域５３の中央位置との間の距離Ｌａ（ｍｍ）。
Ｅ：装着時におけるウエスト部伸縮領域５３の装着圧（ｋＰａ）。
【００４５】
〔評価〕
作製したおむつの性能を下記方法で評価し、結果を表１に示した。
１．コンパクト性
装着前のおむつの様子を観察し、以下の基準で評価した。
〇：コンパクト  △：ややコンパクト  ×：コンパクトでない
２．装着時のすっきり感
おむつをモニターに装着し、装着した状態のおむつの外観を観察した。
○：すっきり  △：ややすっきり  ×：すっきりしていない
【００４６】
３．ウエスト部弾性領域のずれ
おむつをモニターに装着し、６０分間活動させた後のウエスト部弾性領域のずれおちの程度を観察した。
〇：ずれなし  △：ややずれた  ×：ずれた
４．上端部（先端部）の折れ
〇：折れなし  △：やや折れた  ×：折れた
【００４７】
【表１】
2006043068.tif 000003
【００４８】
表１に示す結果から、本発明品（実施例１，２）は、コンパクトであり、装着時にすっきりした外観を呈し、ずれや上端部の折れといった不都合が生じないことが判る。実施例２は、腹側部中央において、ウエスト部伸縮領域５３よりも上方の部分がやや折れやすいがほぼ問題がないレベルであった。
これに対して、比較例１は、ウエスト部伸縮領域５３よりも上方の部分が折れ、実用上問題があった。比較例２は、使用中にウエスト部伸縮領域５３の位置にずれが生じた。参考例は、締め付け力をかなり落としたものであり、そのため、ずれが生じやすくなったものである。
【図面の簡単な説明】
【００４９】
【図１】本発明のパンツ型使い捨ておむつの一実施形態を示す斜視図である。
【図２】図１に示すおむつの展開状態を示す図で、（ａ）は、外包体に吸収性本体が固定された状態、（ｂ）は、吸収性本体を取り除いた状態を示す平面図である。
【図３】腸骨を示す説明図である。
【図４】実施例及び比較例に用いたおむつの外包材を示す図であり、（ａ）は実施例のもの、（ｂ）は比較例のものであり、（ａ）及び（ｂ）は同一の縮尺で示されている。
【符号の説明】
【００５０】
１  パンツ型使い捨ておむつ
２  表面シート
３  裏面シート
４  吸収性コア
５  ウエスト開口部
６  レッグ開口部
５３  ウエスト部伸縮領域（伸縮領域）
７２  第２伸縮領域
【図１】
2006043068.tif 000004
【図２】
2006043068.tif 000005
【図３】
2006043068.tif 000006
【図４】
2006043068.tif 000007